(57)【要約】【課題】この発明は、上蓋を取り外さなくてもホーム柵本体を吊り上げることができるホーム柵装置を提供することである。【解決手段】プラットホーム１の軌道側端縁部の床面上に設置される柵本体２の上端を覆う上蓋４の長手方向両側面が開放されており、カバー５によって塞がれている。柵本体２を搬送据付する際には、カバー５を取り外し、柵本体２の上端長手方向両端部に設けられた吊部６の吊り用ネジ穴７に吊りボルトなどの吊具８を取り付けて、搬送機器（図示せず）を使用して柵本体２を吊り上げる。【選択図】図１
2015048067.tif 000002
【特許請求の範囲】
【請求項１】
プラットホームの軌道側端縁部床に立設される柵本体と、この柵本体の上端に設けられ上記柵本体を吊り上げる際に使用される吊部と、上記柵本体の上端を上記吊部が使用可能な状態で覆う上蓋と、上記吊部の部分を塞ぐカバーとを備えたことを特徴とするホーム柵装置。
【請求項２】
上記吊部にはネジ穴が設けられており、このネジ穴に吊具が取り付けられることを特徴とする請求項１に記載のホーム柵装置。
【請求項３】
上記吊具は吊りボルトであることを特徴とする請求項２に記載のホーム柵装置。
【請求項４】
上記吊部は上記柵本体の上端長手方向両端部に設けられていることを特徴とする請求項１から３のいずれか１項に記載のホーム柵装置。
【請求項５】
上記上蓋は長手方向の両側面が開放されており、この開放された両側面から上記吊部に対して吊具が取り付けられることを特徴とする請求項４に記載のホーム柵装置。
【請求項６】
上記カバーは上記柵本体の長手方向両端に位置する部分の角が丸められていることを特徴とする請求項４または５に記載のホーム柵装置。
【発明の詳細な説明】
【技術分野】
【０００１】
この発明は、駅のプラットホームの軌道側端縁部床に立設されるホーム柵装置に関するものである。
【背景技術】
【０００２】
従来のホーム柵装置においては、プラットホームの軌道側端縁部床に立設されるホーム柵本体の上端に上蓋が設けられていた。（例えば特許文献１および特許文献２）
また、ホーム柵本体を搬送および据付する際には、ホーム柵本体の上端に設けられた吊部に吊具を取り付けて吊り上げることにより作業が行われていた。（例えば特許文献３）
【先行技術文献】
【特許文献】
【０００３】
【特許文献１】特開２００７−２１６８９８号公報
【特許文献２】特開２０１１−２１８８５９号公報
【特許文献３】特開２０１１−１１６２８１号公報
【発明の概要】
【発明が解決しようとする課題】
【０００４】
従来のホーム柵装置においては、ホーム柵本体を搬送および据付する際には、ホーム柵本体の上端に設けられた吊部に吊具を取り付けて吊り上げており、ホーム柵本体の上端に設けられている上蓋を取り外し、搬送据付作業後にホーム柵本体の上端に上蓋をプラットホーム上にて取り付け作業する必要があり、上蓋は容易に取り外し出来ないようにホーム柵本体との間で複数箇所ボルトにて固定されるため、作業時間が掛かってしまうという課題があった。
【０００５】
この発明は以上のような課題を解決するためになされたもので、上蓋を取り外さなくてもホーム柵本体を吊り上げることができるホーム柵装置を提供することを目的とする。
【課題を解決するための手段】
【０００６】
この発明に係るホーム柵装置は、プラットホームの軌道側端縁部床に立設される柵本体と、この柵本体の上端に設けられ上記柵本体を吊り上げる際に使用される吊部と、上記柵本体の上端を上記吊部が使用可能な状態で覆う上蓋と、上記吊部の部分を塞ぐカバーとを備えたことを特徴とするものである。
【発明の効果】
【０００７】
この発明のホーム柵装置によれば、柵本体の上端に設けられ上記柵本体を吊り上げる際に使用される吊部と、上記柵本体の上端を上記吊部が使用可能な状態で覆う上蓋と、上記吊部の部分を塞ぐカバーとを備えているため、上蓋を取り外さなくてもカバーを外すだけでホーム柵本体を吊り上げることができるホーム柵装置を得ることができる効果がある。
【図面の簡単な説明】
【０００８】
【図１】この発明の実施の形態１におけるホーム柵装置の概略構成を示す正面図である。
【図２】この発明の実施の形態１におけるホーム柵装置の図１矢印Ａ部をカバーの取り付けられた状態で示す斜視図である。
【図３】この発明の実施の形態１におけるホーム柵装置の図１矢印Ａ部をカバーの取り外された状態で示す斜視図である。
【図４】この発明の実施の形態２におけるホーム柵装置の概略構成を示す正面図である。
【図５】この発明の実施の形態３におけるホーム柵装置の概略構成を示す正面図である。
【図６】従来のホーム柵装置の概略構成を説明する正面図である。
【発明を実施するための形態】
【０００９】
以下、この発明の実施の形態について説明するが、各図において同一、または相当部分については同一符号を付して説明する。
実施の形態１．
図１はこの発明の実施の形態１におけるホーム柵装置の概略構成を示す正面図、図２はこの発明の実施の形態１におけるホーム柵装置の図１矢印Ａ部をカバーの取り付けられた状態で示す斜視図、図３はこの発明の実施の形態１におけるホーム柵装置の図１矢印Ａ部をカバーの取り外された状態で示す斜視図、図６は従来のホーム柵装置の概略構成を説明する正面図である。
【００１０】
まず、図６にもとづき従来のホーム柵装置について説明する。プラットホーム１の軌道側端縁部の床面上に柵本体２が設置される。柵本体２の長手方向（図６の左右方向）に進退可能に可動扉３が設けられている。柵本体２の上端には意匠性のある上蓋４が取り付けられている。従来、柵本体２をプラットホーム１の所定の位置まで搬送し据付する場合には、上蓋４を取り外し柵本体２の上端に設けられた吊り用ネジ穴７に吊りボルトなどの吊具８を取り付けて、搬送機器（図示せず）を使用して柵本体２を吊り上げることで、搬送据付作業が行われていた。プラットホーム１の床面上に柵本体２の据付が行われた後に吊具８が取り外され上蓋４が取り付けられるが、上蓋４は外部から容易に取り外しの出来ないように、柵本体２に複数箇所をボルト（図示せず）にて固定されるため、上蓋４の取り付けに作業時間が掛かってしまっていた。
【００１１】
本発明のホーム柵装置においては、図１から図３に示すように、上蓋４の長手方向の両側面が開放されており、その開放部がカバー５により塞がれている。カバー５の材質はプラスチック類、金属類またはゴム類などであり、図２に示すように、上蓋４の長手方向の側面部分に嵌め込みもしくはネジ（図示せず）などで固定することで取り外し可能に取り付けられている。また、上蓋４の側面部のカバー５を取り外した先の柵本体２の上端長手方向両端部には、図３に示すように柵本体２に取り付けられた吊部６に吊り用ネジ穴７が設けられており、この吊り用ネジ穴７に吊りボルトもしくは全方向アイボルトなどの吊具８を取り付けることで、上蓋４を取り外すことなく柵本体２を吊り上げて搬送据付作業を実施することが可能となる。プラットホーム１の床面上に柵本体２の据付が行われた後に吊具８が取り外され、カバー５が取り付けられる。
以上説明したように、上蓋４を取り外さなくてもカバー５を外すだけで柵本体２を吊り上げることができるホーム柵装置を得ることができる。
【００１２】
実施の形態２．
図４はこの発明の実施の形態２におけるホーム柵装置の概略構成を示す正面図である。上記実施の形態１では、柵本体２に取り付けられた吊部６に設けられた吊り用ネジ穴７に直接吊具８を取り付ける場合について説明したが、図４に示すように、上蓋４の側面部のカバー５を取り外した先の柵本体２の上端長手方向両端部に設けられた吊り用ネジ穴７に取付金具９をボルト１０で取り付けて、取付金具９に吊具８を取り付けるようにしてもよく、上記実施の形態１と同様の効果がある。さらに吊具８は取付金具９の上部から垂直に取り付けることができるため、吊具８として一般的な吊りボルトを使用することが可能となる。なお、図４においてはカバー５の図示を省略しているが、実施の形態１と同様に、プラットホーム１の床面上に柵本体２の据付が行われた後に吊具８が取付金具９およびボ
ルト１０とともに取り外され、カバー５が取り付けられる。
【００１３】
実施の形態３．
図５はこの発明の実施の形態３におけるホーム柵装置の概略構成を示す正面図である。上記実施の形態１および２では上蓋４の長手方向の両側面の開放部から、柵本体２の上端長手方向両端部に設けられた吊り用ネジ穴７に吊具８を取り付ける場合について説明したが、図５に示すように、柵本体２の長手方向寸法よりも上蓋４の長手方向寸法を短くして、柵本体２の上端長手方向両端部に設けられた吊り用ネジ穴７に直接吊具８を取り付けられるようにしてもよい。この場合には上蓋４の長手方向両側面および柵本体２の上端長手方向両端部の吊部を塞ぐようにカバー５が設けられるが、図５に示すように、カバー５を取り外すのみで吊り用ネジ穴７に直接吊具８を取り付けられるため、より容易に柵本体２を吊り上げて搬送据付作業を実施することが可能となる。さらに吊具８は柵本体２の上端に垂直に取り付けることができるため、吊具８として一般的な吊りボルトを使用することが可能となる。
【００１４】
また、図５に示すように、カバー５は柵本体２の長手方向両端に位置する部分の角が丸められた丸角５ａとなっており、さらに必要に応じて材質をクッション性のものやゴム類などとすることで、プラットホーム１に居る乗客が触れたりぶつかったりしても痛くない材質および形状となっている。
【００１５】
なお、この発明は、その発明の範囲内において、各実施の形態を自由に組み合わせたり、各実施の形態を適宜、変形、省略することが可能である。
【符号の説明】
【００１６】
１  プラットホーム、２  柵本体、３  可動扉、４  上蓋、５  カバー、６  吊部、７  ネジ穴、８  吊具。
【図１】
2015048067.tif 000003
【図２】
2015048067.tif 000004
【図３】
2015048067.tif 000005
【図４】
2015048067.tif 000006
【図５】
2015048067.tif 000007
【図６】
2015048067.tif 000008